(57)【要約】【課題】保水性や透水性などに優れ、かつ、ガラス瓶やゴム製品のリサイクル化に貢献することのできる型製品を提供する。【解決手段】ガラス瓶および貝殻をパウダー状に粉砕して焼成してなる多孔質の発泡体２を再度粉砕することにより製造した多孔質材料３に、多数のゴムチップ４と接着剤５を混練して混練材６を製造し、その混練材６を型枠７に注入し、所定形状に固化して型製品１を製造する。また、この型製品１を、バルコニー８の床面８ａや、外階段９の踏み面９ａに敷設する。【選択図】図１
2007146619.tif 000002
【特許請求の範囲】
【請求項１】
保水性や透水性に優れる型製品であって、
ガラス瓶および貝殻をパウダー状に粉砕して焼成してなる多孔質の発泡体を再度粉砕することにより製造した多孔質材料に、多数のゴムチップと接着剤を混練して混練材を製造し、該混練材を型枠に注入し、所定形状に固化されてなることを特徴とする型製品。
【請求項２】
バルコニーの床面に敷設する、保水性や透水性に優れた型製品であって、
前記型製品は、ガラス瓶および貝殻をパウダー状に粉砕して焼成してなる多孔質の発泡体を再度粉砕することにより製造した多孔質材料に、多数のゴムチップと接着剤を混練して混練材を製造し、該混練材を型枠に注入し、所定形状に固化されてなることを特徴とする型製品。
【請求項３】
外階段の踏み面に敷設する、保水性や透水性に優れた型製品であって、
前記型製品は、ガラス瓶および貝殻をパウダー状に粉砕して焼成してなる多孔質の発泡体を再度粉砕することにより製造した多孔質材料に、多数のゴムチップと接着剤を混練して混練材を製造し、該混練材を型枠に注入し、所定形状に固化されてなることを特徴とする型製品。
【請求項４】
前記ゴムチップは、ゴム製品を再利用したものであることを特徴とする請求項１乃至３のうちいずれか一つに記載の型製品。
【請求項５】
前記所定形状とは、板状で設置面に複数の凹凸部が形成されたものであることを特徴とする請求項１乃至４のうちいずれか一つに記載の型製品。
【請求項６】
前記請求項１乃至４のうちいずれか一つに記載の型製品を、２層に重ねるとともに、隣接する上下の型製品の色を異なるようにしたことを特徴とする型製品。
【請求項７】
前記請求項５に記載の型製品を、２層に、下側の型製品の下面を前記複数の凹凸部が形成された面とし、上側の型製品の上面を前記複数の凹凸部が形成された面とするように重ねるとともに、隣接する上下の型製品の色を異なるようにしたことを特徴とする型製品。
【発明の詳細な説明】
【技術分野】
【０００１】
本発明は、保水性や透水性などに優れ、かつ、ガラス瓶やゴム製品のリサイクル化に貢献する型製品に関するものである。
【背景技術】
【０００２】
近年、都市部においては、その気温が周辺地域より高いといったヒートアイランド現象が発生している。これは、建物や道路などがコンクリートやアスファルトといった保水性のない材料によって造られていることに大きく起因する。また、こうしたコンクリートやアスファルトの多くは透水性がないので、地中への雨水の浸透が減って地下水が不足したり、下水道施設の負担が増加するなどの弊害が発生している。
【０００３】
一方、食品などを収納するガラス瓶や、自動車のタイヤなどのゴム製品は、その殆どが廃棄されており、有限な天然資源が日々失われている。
【発明の開示】
【発明が解決しようとする課題】
【０００４】
建物や道路などを全て保水性や透水性に優れた材料で造ることは、現段階では困難であるが、例えば、バルコニーの床面や金属製外階段の踏み面、あるいは歩道などにこうした材料で形成した製品を設けることで、ヒートアイランド現象の抑制や地下水の確保などに貢献することはできる。
【０００５】
また、ガラス瓶やゴム製品を再利用して、天然資源を保全することが望まれる。
【０００６】
そこで、本発明の目的とするところは、保水性や透水性に優れ、かつ、ガラス瓶やゴム製品のリサイクル化に貢献することのできる型製品を提供することを課題とする。
【課題を解決するための手段】
【０００７】
上記の目的を達成するために、請求項１に記載の発明は、保水性や透水性に優れる型製品であって、ガラス瓶および貝殻をパウダー状に粉砕して焼成してなる多孔質の発泡体（２）を再度粉砕することにより製造した多孔質材料（３）に、多数のゴムチップ（４）と接着剤（５）を混練して混練材（６）を製造し、その混練材（６）を型枠（７）に注入し、所定形状に固化されてなることを特徴とする。
【０００８】
また、請求項２に記載の発明は、バルコニー（８）の床面（８ａ）に敷設する、保水性や透水性に優れた型製品であって、前記型製品は、ガラス瓶および貝殻をパウダー状に粉砕して焼成してなる多孔質の発泡体（２）を再度粉砕することにより製造した多孔質材料（３）に、多数のゴムチップ（４）と接着剤（５）を混練して混練材（６）を製造し、その混練材（６）を型枠（７）に注入し、所定形状に固化されてなることを特徴とする。
【０００９】
さらに、請求項３に記載の発明は、外階段（９）の踏み面（９ａ）に敷設する、保水性や透水性に優れた型製品であって、前記型製品は、ガラス瓶および貝殻をパウダー状に粉砕して焼成してなる多孔質の発泡体（２）を再度粉砕することにより製造した多孔質材料（３）に、多数のゴムチップ（４）と接着剤（５）を混練して混練材（６）を製造し、その混練材（６）を型枠（７）に注入し、所定形状に固化されてなることを特徴とする。
【００１０】
またさらに、請求項４に記載の発明は、前記ゴムチップ（４）が、ゴム製品を再利用したものであることを特徴とする。
【００１１】
また、請求項５に記載の発明は、前記所定形状とは、板状で設置面（２０）に複数の凹凸部（１１）が形成されたものであることを特徴とする。
【００１２】
また、請求項６に記載の発明は、前記請求項１乃至４のうちいずれか一つに記載の型製品を、２層に重ねるとともに、隣接する上下の型製品（１ａ，１ｂ）の色を異なるようにしたことを特徴とする。
【００１３】
また、請求項７に記載の発明は、前記請求項５に記載の型製品を、２層に、下側の型製品（１ｂ）の下面を前記複数の凹凸部（１１）が形成された面とし、上側の型製品（１ａ）の上面を前記複数の凹凸部（１１）が形成された面とするように重ねるとともに、隣接する上下の型製品の色を異なるようにしたことを特徴とする。
【００１４】
なお、カッコ内の記号は、図面および後述する発明を実施するための最良の形態に記載された対応要素または対応事項を示す。
【発明の効果】
【００１５】
本発明の請求項１に記載の型製品によれば、それを形成する材料に、ガラス瓶および貝殻をパウダー状に粉砕して焼成してなる多孔質の発泡体を再度粉砕することにより製造した多孔質材料を含むので、保水性と透水性に優れる。
すなわち、当該多孔質材料には無数の不均一な形状の微細孔が形成されているので、この微細孔によって水が保持され、保水性に富む。また、この無数の微細孔によって水が型製品を通過できる微細な多数の水路が形成されるので、透水性にも優れる。
【００１６】
また、この型製品には、それを形成する材料として多数のゴムチップが含まれているので、その大きな摩擦抵抗によって優れた滑り止め効果を発揮する。
なお、接着剤は、多孔質材料とゴムチップを効果的に接合する。また、型枠は、型製品を所望の形状に形成する。
【００１７】
また、請求項２に記載の型製品によれば、多孔質材料に多数のゴムチップと接着剤を混練し、それを型枠に注入して所定形状に固化したものをバルコニーの床面に敷設するので、ヒートアイランド現象の抑制に貢献することができる。
すなわち、型製品の成形材料である多孔質材料には無数の不均一な形状の微細孔が形成されているので、この微細孔によって水が保持され、この水の冷却効果によってヒートアイランド現象が抑制される。
【００１８】
また、この型製品は、多孔質材料の無数の微細孔によって水が通過できる微細な水路が多数形成されているので透水性に優れる。
従って、バルコニーの床面に多量の雨水などが溜まることもなく、雨水等を地面等に円滑に導き、しいては地下水の確保にも貢献できる。
【００１９】
また、この型製品には、多数のゴムチップが含まれているので滑り止め効果が高く、バルコニーの床面に敷設する型製品として安全性にも優れる。
【００２０】
さらに、請求項３に記載の型製品によれば、多孔質材料に多数のゴムチップと接着剤を混練し、それを型枠に注入して所定形状に固化したものを外階段の踏み面に敷設するので、その成形材料である多孔質材料の微細孔によって水が保持され、この水の冷却効果によって、ヒートアイランド現象を抑制することができる。
【００２１】
また、型製品には、多孔質材料の無数の微細孔によって微細な水路が形成されているので透水性にも優れ、よって、外階段の踏み面に多量の雨水などが溜まることがなく、しいては地下水の確保にも貢献する。
【００２２】
また、この型製品には、多数のゴムチップが含まれているので滑り止め効果に優れ、外階段の踏み面に敷設する型製品として高い安全性を発揮する。
【００２３】
またさらに、請求項４に記載の型製品によれば、請求項１乃至３に記載の発明の作用効果に加えて、ゴムチップが、例えば自動車のタイヤなど、ゴム製品を再利用したものであるので当該ゴム製品のリサイクル化に貢献することができ、天然資源の保全に役立つ。
【００２４】
また、請求項５に記載の型製品によれば、請求項１乃至４に記載の発明の作用効果に加えて、型製品の形状を、板状で設置面に複数の凹凸部が形成されたものにしたので、通気性をよくすることができる。
これによれば、型製品は保水性と透水性に優れるため地表面に直接設置すると、黴びが発生するおそれがあるが、通気性を向上させることにより黴びの発生を抑制することができる。
【００２５】
また、請求項６に記載の型製品によれば、請求項１乃至４に記載の型製品を、２層に重ねるとともに、隣接する上下の型製品の色を異なるようにしたので、デザイン上優れ見栄えがよい。
【００２６】
また、請求項７に記載の型製品によれば、請求項５に記載の型製品を、２層に、下側の型製品の下面を前記複数の凹凸部が形成された面とし、上側の型製品の上面を前記複数の凹凸部が形成された面とするように重ねるとともに、隣接する上下の型製品の色を異なるようにしたので、通気性に優れるとともに、デザイン上も優れ見栄えがよい。
【発明を実施するための最良の形態】
【００２７】
図１および図２を参照して、本発明の第一実施形態に係る型製品１について説明する。図１は、型製品１を製造する工程を示す工程図であり、図２は、型製品１をバルコニー８に敷設した状態を示す斜視図である。
【００２８】
この型製品１は、複数枚を、コンクリート建造物のバルコニー８の床面８ａに敷設するものであり、次のように製造したものである。
すなわち、使用済みのガラス瓶および貝殻をパウダー状に粉砕したものを９００℃〜１０００℃で焼成して製造した多孔質の発泡体２（例えば、「ＮＥＸＴＯＮＥ−α」（豊洋産業株式会社製））を、図１（ａ）に示すように、再度粉砕して多孔質材料３を製造し、この多孔質材料３に、多数のゴムチップ４と接着剤５を混合して練り混練材６を製造する。接着剤５は、多孔質材料３とゴムチップ４を接合する働きを担う。
【００２９】
そして、同（ｂ）に示すように、その混練材６を型枠７に注入し、所定時間養生して固化し、（ｃ）に示すような所定の大きさの平板形状とする。なお、ゴムチップ４は、自動車のタイヤなどのゴム製品を再利用している。
【００３０】
本実施形態に係る型製品１は、その成形材料である多孔質材料３に無数の不均一な形状の微細孔が形成されているので、この微細孔によって雨水等の水が保持され、当該水の冷却効果によって周囲を冷却する。
これによって、ヒートアイランド現象を抑制することができる。
【００３１】
また、この型製品１は、多孔質材料３の無数の微細孔によって水が通過できる微細な水路が多数形成されているので透水性に優れ、バルコニー８に多量の雨水などが溜まることがない。
従って、バルコニー８の床面８ａが水で滑るといった危険性を回避することができる。なお、この透水性によって、雨水等を円滑に地面に導くことができるため、地下水の確保にも貢献することができる。
【００３２】
また、この型製品１には、多数のゴムチップ４が含まれているので、滑り止め効果がきわめて高く、バルコニー８の床面８ａに敷設する型製品として安全性にも優れる。
【００３３】
なお、多孔質材料３の元である多孔質の発泡体２として「ＮＥＸＴＯＮＥ−α」（豊洋産業株式会社製）を使用すると、それが持つ、アンモニア、硫化水素およびキシレンに対する脱臭効果によって、バルコニー８に付着している臭いを消すことができる。
【００３４】
また、この型製品１の成形材である多孔質の発泡体２は、使用済みのガラス瓶を粉砕して使用し、また、ゴムチップ４は自動車のタイヤを再利用しているので、当該ガラス瓶およびタイヤのリサイクル化を図ることができ、有限である天然資源を効果的に保全することができる。
【００３５】
次に、図１および図３を参照して、本発明の第二実施形態に係る型製品１について説明する。図１は、型製品１を製造する工程を示す工程図であり、図３は、型製品１を外階段９に敷設した状態を示す斜視図である。
【００３６】
これは、建物の鉄製外階段９の踏み面９ａに敷設するものであり、ガラス瓶および貝殻をパウダー状に粉砕して焼成した多孔質の発泡体２を再度粉砕して製造した多孔質材料３に、多数のゴムチップ４と接着剤５を混練して混練材６を製造し、その混練材６を型枠７に注入し、平板形状に固化して製造したものである。ゴムチップ４は、タイヤなどのゴム製品を再利用している。
【００３７】
この型製品１は、その成形材料である多孔質材料３の微細孔によって水が保持されるので、ヒートアイランド現象の抑制に役立つ。また、この型製品１には、多孔質材料３の無数の微細孔によって微細な水路が形成されているため透水性にも優れ、外階段９の踏み面９ａに多量の雨水などが溜まることがない。従って、踏み面９ａが雨水などによって滑ることがないので安全であり、また、雨水を透水することで、しいては地下水の確保にも貢献する。
【００３８】
また、この型製品１には、多数のゴムチップ４が含まれているので滑り止め効果に優れ、外階段９の踏み面９ａに敷設する型製品として高い安全性を発揮する。
【００３９】
なお、多孔質の発泡体２として「ＮＥＸＴＯＮＥ−α」（豊洋産業株式会社製）を使用すれば、それが持つ脱臭効果によって階段およびその周辺の臭いを消すことができる。
【００４０】
また、この型製品１は、多孔質の発泡体２を形成する材料としてガラス瓶を使用し、ゴムチップ４はゴム製品を再利用したものであるので、これら材料のリサイクル化に貢献し、天然資源を有効に保全することができる。
【００４１】
次に、図４および図５を参照して、本発明の第三実施形態に係る型製品１について説明する。
【００４２】
第一，第二実施形態に係る型製品１は、その形状が平板形状に固化されたものであったが、第三実施形態に係る型製品１は、図４に示すように、板状ではあるが、設置面２０側の面に、複数の凹部１１ａと凸部１１ｂからなる凹凸部１１を形成した形状に固定されたものである。
第三実施形態に係る型製品１は、図１（ａ）で示したと同様に、ガラス瓶および貝殻をパウダー状に粉砕して焼成した多孔質の発泡体２を再度粉砕して製造した多孔質材料３に、多数のゴムチップ４と接着剤５を混練して混練材６を製造し、その混練材６を型枠に注入し、固化して製造したものであるが、型枠の形状を、図１（ｂ）で示したように底面をフラットな形状にするのではなく、底面に凹凸部を形成したものであり、これによって、型枠を外したときに、図４で示すような凹凸部１１が形成された型製品１を製造するようにしたものである。その他、作用効果は第一実施形態のものと同様である。
【００４３】
このように、第三実施形態に係る型製品１によれば、設置面２０に形成された凹凸部１１によって、空気の流路が形成されるので通気性が格段と向上するので、黴びの発生を抑制することができる。
【００４４】
なお、図５に示すように、複数の凹凸部１１が形成された面を有する型製品１を２層に重ねて使用することもできる。
この場合、下側の型製品１ｂの下面を複数の凹凸部１１が形成された面とするとともに、上側の型製品１ａの上面を複数の凹凸部１１が形成された面とするように重ね、両型製品１ａ，１ｂ間は接着剤で固定している。これにより表裏逆、すなわち、型製品１ａを下側にし、型製品１ｂを上側にし、型製品１ａでは下面に複数の凹凸部１１が形成された面が位置し、型製品１ｂでは上面に複数の凹凸部１１が形成された面が位置するようにして使用することもできる。
【００４５】
そして、隣接する上下の型製品１ａ，１ｂの色を異なるようにして見栄えをよくすることができる。例えば、これに限定されるものではないが、上側の型製品１ａの色をグリーンに、下側の型製品１ｂの色をレッドに色付けしている。なお、色付けは、型製品１の製造時に各色に対応した顔料を混ぜることによって行っている。
【００４６】
なお、第一実施形態に係る平板状の型製品を、２層に重ねるとともに、隣接する上下の型製品の色を異なるようにすることもできる。
【００４７】
なお、本実施形態に係る型製品１は、外階段９の他、例えば、歩道や公園など、あらゆる場所に敷設することができる。
【図面の簡単な説明】
【００４８】
【図１】本発明の第一および第二実施形態に係る型製品の製造工程を示す説明図であり、（ａ）は多孔質の発泡体から製造した多孔質材料と、ゴムチップと、接着剤を混練して混練材を製造する工程、（ｂ）は混練材を型枠に注入する工程、（ｃ）はそれによって製造された型製品を示す。
【図２】本発明の第一実施形態に係る型製品を示す斜視図である。
【図３】本発明の第二実施形態に係る型製品を示す斜視図である。
【図４】本発明の第三実施形態に係る型製品を示す正面図である。
【図５】本発明の第三実施形態に係る他の型製品を示す正面図である。
【符号の説明】
【００４９】
１      型製品
１ａ    上側の型製品
１ｂ    下側の型製品
２      多孔質の発泡体
３      多孔質材料
４      ゴムチップ
５      接着剤
６      混練材
７      型枠
８      バルコニー
８ａ    床面
９      外階段
９ａ    踏み面
１１      凹凸部
１１ａ    凹部
１１ｂ    凸部
２０      設置面
【図１】
2007146619.tif 000003
【図２】
2007146619.tif 000004
【図３】
2007146619.tif 000005
【図４】
2007146619.tif 000006
【図５】
2007146619.tif 000007